(57)【特許請求の範囲】
【請求項１】
第１水平方向に間隔を置かれた２つの支柱と、
前記支柱の間に間隔を置いて配置され、それぞれが前記支柱に固定された上桟及び下桟と、
前記上桟と前記下桟との間に前記第１水平方向に間隔を置いて配置され、それぞれが、前記第１水平方向に間隔を置かれた２つの側部分と該側部分の間に前記第１水平方向と直交する第２水平方向に間隔を置かれた頂部分及び底部分とを有する上端部を有する複数の手摺子であってそれぞれの前記上端部が前記上桟に取り付けられ、下端部が前記下桟に取り付けられた複数の手摺子と、
各手摺子の前記上端部の各側部分の第１水平方向外方に配置され、該側部分と前記上桟とに取り付けられた、強風時に前記手摺子及び前記上桟のそれぞれが振動することを防止する振動防止装置とを含み、
前記振動防止装置は、前記第１水平方向に対して垂直な側部及び該側部の上に設けられた水平な頂部を有する剛体と、
一方の面が前記剛体の側部に接着された、該側部に平行な縦部分及び該縦部分の上に設けられ、一方の面が前記剛体の頂部に接着された、該頂部に平行な横部分を有するシート状の弾性体であって前記縦部分の他方の面が前記手摺子の前記上端部の前記側部分に接着され、前記横部分の他方の面が前記上桟に接着された弾性体とを有する、手摺ユニット。
【請求項２】
第１水平方向に間隔を置かれた２つの支柱と、該支柱の間に間隔を置いて配置され、それぞれが前記支柱に固定された上桟及び下桟と、前記上桟と前記下桟との間に前記第１水平方向に間隔を置いて配置され、それぞれが、前記第１水平方向に間隔を置かれた２つの側部分と該側部分の間に前記第１水平方向と直交する第２水平方向に間隔を置かれた頂部分及び底部分とを有する上端部を有する複数の手摺子であってそれぞれの前記上端部が前記上桟に取り付けられ、下端部が前記下桟に取り付けられた複数の手摺子とを含む手摺ユニットに用いられる、各手摺子の前記上端部の各側部分の第１水平方向外方に配置され、該側部分と前記上桟とに取り付けられる、強風時に各手摺子及び前記上桟のそれぞれが振動することを防止する振動防止装置であって、
前記第１水平方向に対して垂直な側部及び該側部の上に設けられた水平な頂部を有する剛体と、
一方の面が前記剛体の側部に接着された、該側部に平行な縦部分及び該縦部分の上に設けられ、一方の面が剛体の前記頂部に接着された、該頂部に平行な横部分を有するシート状の弾性体であって前記手摺ユニットの製作後に前記縦部分の他方の面が前記手摺子の前記上端部の各側部分に接着され、前記横部分の他方の面が前記上桟に接着される弾性体とを有する、振動防止装置。
【請求項３】
前記剛体は、前記第２水平方向に対して垂直な面で見て逆Ｌ字形の断面形状を有する、請求項２に記載の振動防止装置。
【請求項４】
水平方向に間隔を置かれた２つの支柱と、該支柱の間に間隔を置いて配置され、それぞれが前記支柱に固定された上桟及び下桟と、前記上桟と前記下桟との間に水平方向に間隔を置いて配置され、それぞれの上端部が前記上桟に取り付けられ、下端部が前記下桟に取り付けられた複数の手摺子とを含む手摺ユニットに用いられる、隣接する２つの手摺子の間に配置され、一方の手摺子の前記上端部と他方の手摺子の前記上端部と前記上桟とに取り付けられる、強風時に各手摺子及び前記上桟のそれぞれが振動することを防止する振動防止装置であって、
水平方向に間隔を置かれた、相対する２つの側部及び該側部の間に設けられた水平な頂部を有する剛体であって下方に開放された凹状の剛体と、
水平方向に間隔を置かれた第１縦部分及び第２縦部分であって一方の面が前記剛体の一側部に接着された、該一側部に平行な第１縦部分及び一方の面が前記剛体の他側部に接着された、該他側部に平行な第２縦部分と、前記第１縦部分と前記第２縦部分との間に設けられ、一方の面が前記剛体の頂部に接着された、該頂部に平行な横部分とを有するシート状の弾性体であって前記手摺ユニットの製作後に前記第１縦部分の他方の面が、隣接する２つの手摺子のうち一方の手摺子の前記上端部に接着され、前記第２縦部分の他方の面が、他方の手摺子の前記上端部に接着され、前記横部分の他方の面が前記上桟に接着される弾性体とを有する、振動防止装置。
【発明の詳細な説明】
【技術分野】
【０００１】
本発明は、手摺ユニット及びこれに用いる振動防止装置に関する。
【背景技術】
【０００２】
集合住宅のベランダ、屋上等に手摺ユニットが設置されている。前記手摺ユニットは、水平方向に間隔を置かれた２つの支柱と、該支柱の間に間隔を置いて配置され、前記支柱に固定された上桟及び下桟と、前記上桟と前記下桟との間に水平方向に間隔を置いて配置された複数の手摺子とを有する。各手摺子の上端部は前記上桟に、下端部は前記下桟にそれぞれ取り付けられている。
【０００３】
従来、前記手摺ユニットには、前記上桟と前記下桟との間に配置され、前記支柱に固定された、各手摺子と交差する中桟と、該中桟と前記手摺子との間に配置され、前記中桟と前記手摺子とに固定された弾性体とからなる振動防止装置を有するものがある（特許文献１参照）。前記振動防止装置は、強風時に前記手摺子が振動することを防ぐ。
【０００４】
強風時、前記手摺子は振動しようとする。このとき、前記手摺子は前記中桟に対して周期的に水平方向にずれようとし、前記弾性体は前記手摺子から外力を受けて弾性変形すること及び復元することを繰り返す。これにより、前記振動防止装置は、前記手摺子に作用する振動エネルギーを吸収し、前記手摺子の振動を防止する。仮に、前記手摺子が振動した場合、前記手摺子の前記上端部と前記上桟とが摺れて音が発生し、騒音問題が生じる恐れがある。前記振動防止装置が前記手摺子の振動を防ぐことにより、前記音の発生を防止することができ、騒音問題が生じないようにすることができる。
【先行技術文献】
【特許文献】
【０００５】
【特許文献１】特開２００６−２００２１０号公報
【発明の概要】
【発明が解決しようとする課題】
【０００６】
しかし、前記上桟と前記下桟との間に前記中桟が配置されているため、該中桟により前記手摺ユニットの外観が損なわれる。
【０００７】
本発明の目的は、手摺ユニットの外観を損ねることなく、強風時に手摺子の上端部と上桟とが摺れて音が発生することを防止することである。
【課題を解決するための手段】
【０００８】
本発明は、手摺子の上端部の各側部分の水平方向外方に配置され、該側部分と上桟とに取り付けられた振動防止装置が、強風時に前記手摺子及び前記上桟のそれぞれが振動することを防ぐことにより、前記手摺子の上端部と前記上桟とが摺れて音が発生することを防止する。これにより、上桟と下桟との間に配置され、支柱に固定された、手摺子と交差する中桟と、該中桟と前記手摺子との間に配置され、前記中桟と前記手摺子とに固定された弾性体とからなる振動防止装置が前記手摺子の振動を防ぐ従来の場合のように前記中桟により手摺ユニットの外観を損ねることなく、前記音の発生を防止する。
【０００９】
本発明に係る手摺ユニットは、第１水平方向に間隔を置かれた２つの支柱と、該支柱の間に間隔を置いて配置され、それぞれが前記支柱に固定された上桟及び下桟と、前記上桟と前記下桟との間に前記第１水平方向に間隔を置いて配置され、それぞれが、前記第１水平方向に間隔を置かれた２つの側部分と該側部分の間に前記第１水平方向と直交する第２水平方向に間隔を置かれた頂部分及び底部分とを有する上端部を有する複数の手摺子であってそれぞれの前記上端部が前記上桟に取り付けられ、下端部が前記下桟に取り付けられた複数の手摺子と、各手摺子の前記上端部の各側部分の第１水平方向外方に配置され、該側部分と前記上桟とに取り付けられた、強風時に前記手摺子及び前記上桟のそれぞれが振動することを防止する振動防止装置とを含む。前記振動防止装置は、前記第１水平方向に対して垂直な側部及び該側部の上に設けられた水平な頂部を有する剛体と、一方の面が前記剛体の側部に接着された、該側部に平行な縦部分及び該縦部分の上に設けられ、一方の面が前記剛体の頂部に接着された、該頂部に平行な横部分を有するシート状の弾性体であって前記縦部分の他方の面が前記手摺子の前記上端部の前記側部分に接着され、前記横部分の他方の面が前記上桟に接着された弾性体とを有する。
【００１０】
強風時、前記手摺子が振動しようとするとき、該手摺子の前記上端部が前記上桟に対して周期的に前記第１水平方向にずれようとする。このとき、前記弾性体は前記手摺子の前記上端部から外力を受けて弾性変形すること及び復元することを繰り返す。これにより、前記振動防止装置は、前記手摺子に作用する振動エネルギーを吸収し、前記手摺子の振動を防止する。仮に、前記手摺子が振動した場合、この振動が前記上桟に伝わることがある。このとき、前記弾性体は前記上桟から外力を受けて弾性変形すること及び復元することを繰り返す。これにより、前記振動防止装置は、前記上桟に作用する振動エネルギーを吸収し、前記上桟の振動を防止する。このようにして前記振動防止装置は前記手摺子及び前記上桟のそれぞれの振動を防止する。これにより、前記手摺子の前記上端部と前記上桟とが摺れることを防ぐことができ、前記手摺ユニットから音が発生することを防止することができる。
【００１１】
前記手摺子の前記上端部の各側部分の水平方向外方に配置され、該側部分と上桟とに取り付けられた前記振動防止装置が前記手摺子及び前記上桟のそれぞれの振動を防ぐため、上桟と下桟との間に配置され、支柱に固定された、手摺子と交差する中桟と、該中桟と前記手摺子との間に配置され、前記中桟と前記手摺子とに固定された弾性体とからなる振動防止装置が前記手摺子の振動を防ぐ従来の場合のように前記中桟により手摺ユニットの外観を損ねることなく、前記音の発生を防止することができる。
【００１２】
本発明に係る振動防止装置は、第１水平方向に間隔を置かれた２つの支柱と、該支柱の間に間隔を置いて配置され、それぞれが前記支柱に固定された上桟及び下桟と、前記上桟と前記下桟との間に前記第１水平方向に間隔を置いて配置され、それぞれが、前記第１水平方向に間隔を置かれた２つの側部分と該側部分の間に前記第１水平方向と直交する第２水平方向に間隔を置かれた頂部分及び底部分とを有する上端部を有する複数の手摺子であってそれぞれの前記上端部が前記上桟に取り付けられ、下端部が前記下桟に取り付けられた複数の手摺子とを含む手摺ユニットに用いられる。前記振動防止装置は各手摺子の前記上端部の各側部分の第１水平方向外方に配置され、該側部分と前記上桟とに取り付けられ、強風時に各手摺子及び前記上桟のそれぞれが振動することを防止する。前記振動防止装置は、前記第１水平方向に対して垂直な側部及び該側部の上に設けられた水平な頂部を有する剛体と、一方の面が前記剛体の側部に接着された、該側部に平行な縦部分及び該縦部分の上に設けられ、一方の面が前記剛体の頂部に接着された、該頂部に平行な横部分を有するシート状の弾性体であって前記手摺ユニットの製作後に前記縦部分の他方の面が前記手摺子の前記上端部の各側部分に接着され、前記横部分の他方の面が前記上桟に接着される弾性体とを有する。前記剛体は、前記第２水平方向に対して垂直な面で見て逆Ｌ字形の断面形状を有するものとすることができる。
【００１３】
本発明に係る振動防止装置は、水平方向に間隔を置かれた２つの支柱と、該支柱の間に間隔を置いて配置され、それぞれが前記支柱に固定された上桟及び下桟と、前記上桟と前記下桟との間に水平方向に間隔を置いて配置され、それぞれの上端部が前記上桟に取り付けられ、下端部が前記下桟に取り付けられた複数の手摺子とを含む手摺ユニットに用いられる。前記振動防止装置は、隣接する２つの手摺子の間に配置され、一方の手摺子の前記上端部と他方の手摺子の前記上端部と前記上桟とに取り付けられ、強風時に各手摺子及び前記上桟のそれぞれが振動することを防止する。前記振動防止装置は、水平方向に間隔を置かれた、相対する２つの側部及び該側部の間に設けられた水平な頂部を有する剛体であって下方に開放された凹状の剛体と、水平方向に間隔を置かれた第１縦部分及び第２縦部分であって一方の面が前記剛体の一側部に接着された、該一側部に平行な第１縦部分及び一方の面が前記剛体の他側部に接着された、該他側部に平行な第２縦部分と、前記第１縦部分と前記第２縦部分との間に設けられ、一方の面が前記剛体の頂部に接着された、該頂部に平行な横部分とを有するシート状の弾性体であって前記手摺ユニットの製作後に前記第１縦部分の他方の面が、隣接する２つの手摺子のうち一方の手摺子の前記上端部に接着され、前記第２縦部分の他方の面が、他方の手摺子の前記上端部に接着され、前記横部分の他方の面が前記上桟に接着される弾性体とを有する。
【発明の効果】
【００１４】
本発明によれば、手摺子の上端部の各側部分の水平方向外方に配置され、該側部分と上桟とに取り付けられた振動防止装置が、強風時に前記手摺子及び前記上桟のそれぞれが振動することを防ぐことにより、前記上桟と下桟との間に中桟を要することなく、前記手摺子の前記上端部と前記上桟とが摺れて音が発生することを防止することができる。これにより、前記中桟により手摺ユニットの外観を損ねることなく前記音の発生を防止することができる。
【図面の簡単な説明】
【００１５】
【図１】本発明の第１実施例に係る手摺ユニットの正面図。
【図２】図１の線２における、振動防止装置の縦断面図。
【図３】図２の線３における、振動防止装置の水平断面図。
【図４】本発明の第２実施例に係る振動防止装置の縦断面図。
【図５】本発明の第３実施例に係る振動防止装置の水平断面図。
【図６】図５の線６における、振動防止装置の縦断面図。
【図７】本発明の第４実施例に係る振動防止装置の縦断面図。
【図８】本発明の第５実施例に係る振動防止装置の縦断面図。
【図９】本発明の第６実施例に係る手摺ユニットの正面図。
【図１０】図９の線１０における、振動防止装置の縦断面図。
【図１１】手摺ユニットから発生した音の測定値を示す図。
【図１２】ケース１における音の測定値とケース２における音の測定値との差を示す図。
【発明を実施するための形態】
【００１６】
図１に示すように、手摺ユニット１０に振動防止装置１２が用いられている。手摺ユニット１０は、第１水平方向（図１における左右方向）に間隔を置かれた２つの支柱１４と、該支柱の間に間隔を置いて配置され、それぞれが支柱１４に固定された上桟１６及び下桟１８と、上桟１６と下桟１８との間に前記第１水平方向に間隔を置いて配置された複数の手摺子２０とを有する。支柱１４、上桟１６、下桟１８及び手摺子２０のそれぞれは、アルミニウムのような金属材料で作られている。上桟１６に、該上桟を覆う笠木２２が取り付けられている。手摺ユニット１０は、集合住宅のベランダ、屋上等に設置される。
【００１７】
各手摺子２０の上端部２４は上桟１６に取り付けられ、下端部２６は下桟１８に取り付けられている。図２、３に示すように、上端部２４は、前記第１水平方向に間隔を置かれた２つの側部分２８と該側部分の間に前記第１水平方向と直交する第２水平方向（図２における奥行き方向）に間隔を置かれた頂部分３０及び底部分３２とを有する。手摺子２０は中空であり、上端部２４及び下端部２６のそれぞれは開放されている。
【００１８】
上桟１６への手摺子２０の上端部２４の取り付けは、上端部２４の頂部分３０の第２水平方向内方に配置され、該頂部分に固定された、上下方向に伸びる第１筒状部材３４と、上桟１６を貫いて第１筒状部材３４にねじ込まれた第１ビス３６と、上端部２４の底部分３２の第２水平方向内方に配置され、該底部分に固定された、上下方向に伸びる第２筒状部材３８と、上桟１６を貫いて第２筒状部材３８にねじ込まれた第２ビス４０とによる。第１筒状部材３４は上端部２４の頂部分３０に、第２筒状部材３８は底部分３２にそれぞれ一体に形成されている。図３に示したように、第１筒状部材３４及び第２筒状部材３８のそれぞれは水平面で見てＣ字形の断面形状を有する。
【００１９】
振動防止装置１２は、手摺子２０の上端部２４の各側部分２８の第１水平方向外方に配置され、該側部分と上桟１６とに取り付けられている。振動防止装置１２は、前記第１水平方向に対して垂直な側部４２及び該側部の上に設けられた水平な頂部４４を有する剛体４６と、一方の面が側部４２に接着された、該側部に平行な縦部分４８及び該縦部分の上に設けられ、一方の面が頂部４４に接着された、該頂部に平行な横部分５０を有するシート状の弾性体５２とを有する。縦部分４８の他方の面は手摺子２０の上端部２４の側部分２８に接着され、横部分５０の他方の面は上桟１６に接着されている。剛体４６は、前記第２水平方向に対して垂直な面で見て逆Ｌ字形の断面形状を有する。振動防止装置１２は、強風時に手摺子２０及び上桟１６のそれぞれが振動することを防止する。
【００２０】
剛体４６は、鋼製でもよいし、アルミニウムのような他の金属からなるものでもよい。また、剛体４６は、金属からなる上記の例に代え、プラスチックからなるものでもよい。弾性体５２は、合成樹脂又はゴムからなる。前記合成樹脂は、例えば、シリコン樹脂、ポリ塩化ビニル樹脂等であり、前記ゴムは、例えば、クロロプレンゴム、エチレン・プロピレンゴム等である。図２に示した例では、弾性体５２は、「ＶＨＢアクリルフォーム構造用接合テープ（住友スリーエム株式会社製）」である。
【００２１】
強風時、手摺子２０が振動しようとするとき、該手摺子の上端部２４が上桟１６に対して前記第１水平方向にずれようとする。このとき、弾性体５２は手摺子２０の上端部２４から外力を受けて弾性変形し、復元する。これにより、振動防止装置１２は、手摺子２０に作用する振動エネルギーを吸収し、手摺子２０の振動を防止する。仮に、手摺子２０が振動した場合、この振動が上桟１６に伝わることがある。この場合、弾性体５２は上桟１６から外力を受けて弾性変形し、復元する。これにより、振動防止装置１２は、上桟１６に作用する振動エネルギーを吸収し、上桟１６の振動を防止する。このように振動防止装置１２が手摺子２０及び上桟１６のそれぞれの振動を防止することにより、手摺子２０の上端部２４と上桟１６とが摺れることを防ぐことができ、手摺ユニット１０から音が発生することを防止することができる。
【００２２】
手摺子２０の上端部２４の各側部分２８の第１水平方向外方に配置され、該側部分と上桟１６とに取り付けられた振動防止装置１２が手摺子２０及び上桟１６のそれぞれの振動を防ぐことにより、上桟１６と下桟１８との間に中桟（図示せず）を要することなく前記音の発生を防止することができる。このため、上桟と下桟との間に配置され、支柱に固定された、手摺子と交差する中桟と、該中桟と前記手摺子との間に配置され、前記中桟と前記手摺子とに固定された弾性体とからなる振動防止装置が前記手摺子の振動を防ぐ従来の場合のように前記中桟により手摺ユニットの外観が損ねられることはない。
【００２３】
振動防止装置１２は、手摺ユニット１０の製作時に手摺子２０の上端部２４の各側部分２８の第１水平方向外方に配置され、該側部分と上桟１６とに取り付けられてもよいし、支柱１４と、上桟１６と、下桟１８と、手摺子２０とを有する手摺ユニットの製作後に手摺子２０の上端部２４の各側部分２８の第１水平方向外方に配置され、該側部分と上桟１６とに取り付けられてもよい。すなわち、振動防止装置１２は、支柱１４と、上桟１６と、下桟１８と、手摺子２０とを有する既存の手摺ユニットに用いられてもよい。この場合、前記手摺ユニットの製作後に弾性体５２の縦部分４８の前記他方の面は手摺子２０の上端部２４の側部分２８に接着され、横部分５０の前記他方の面は上桟１６に接着される。剛体４６は、逆Ｌ字形の断面形状を有する図２に示した例に代え、図４に示すように、四角形の断面形状を有するものでもよい。手摺子２０は、中空である図２に示した例に代え、中実でもよい。
【００２４】
弾性体５２は、図２に示した例では、縦部分４８と横部分５０とが一体に形成されているが、これに代え、縦部分４８と横部分５０との間に間隔が置かれていてもよい。縦部分４８と横部分５０とが一体に形成されている場合、縦部分４８の前記一方の面を剛体４６の側部４２に、横部分５０の前記一方の面を剛体４６の頂部４４にそれぞれ接着するとき、剛体４６の隅部（側部４２と頂部４４との境界部）において弾性体５２が弛みやすい。このため、弾性体５２が弛まないようにするために手間がかかり、作業性が悪くなる恐れがある。縦部分４８と横部分５０との間に間隔が置かれている場合、剛体４６の前記隅部に弾性体５２が存在しないようにすることができる。これにより、弾性体５２が弛まないようにするために手間がかかることはなく、作業性が悪くなることはない。
【００２５】
図５、６に示す例では、手摺ユニット１０は、手摺子２０の上端部２４の各側部分２８の第１水平方向外方に配置され、該側部分と上桟１６とに取り付けられた振動防止装置（第１振動防止装置）１２に加え、手摺子２０の上端部２４の頂部分３０の第２水平方向外方に配置され、該頂部分と上桟１６とに取り付けられた第２振動防止装置５４と、底部分３２の第２水平方向外方に配置され、該底部分と上桟１６とに取り付けられた第３振動防止装置５６とを有する。これにより、手摺子２０及び上桟１６のそれぞれの振動をより確実に防止することができる。
【００２６】
第２振動防止装置５４及び第３振動防止装置５６のそれぞれは、前記第２水平方向に対して垂直な側部４２及び該側部の上に設けられた水平な頂部４４を有する剛体４６と、一方の面が側部４２に接着された、該側部に平行な縦部分４８及び該縦部分の上に設けられ、一方の面が頂部４４に接着された、該頂部に平行な横部分５０を有するシート状の弾性体５２とを有する。第２振動防止装置５４の弾性体５２の縦部分４８の他方の面は手摺子２０の上端部２４の頂部分３０に接着され、横部分５０の他方の面は上桟１６に接着されている。第３振動防止装置５６の弾性体５２の縦部分４８の他方の面は手摺子２０の上端部２４の底部分３２に接着され、横部分５０の他方の面は上桟１６に接着されている。
【００２７】
図７、８に示す例では、振動防止装置１２は、前記第１水平方向に間隔を置かれた、相対する２つの側部４２及び該側部の間に設けられた水平な頂部４４を有する剛体４６と、前記第１水平方向に間隔を置かれた第１縦部分４８ａ及び第２縦部分４８ｂであって一方の面が剛体４６の一側部４２に接着された、該一側部に平行な第１縦部分４８ａ及び一方の面が剛体４６の他側部４２に接着された、該他側部に平行な第２縦部分４８ｂと、第１縦部分４８ａと第２縦部分４８ｂとの間に設けられ、一方の面が頂部４４に接着された、該頂部に平行な横部分５０とを有するシート状の弾性体５２とを有する。第１縦部分４８ａの他方の面は、隣接する２つの手摺子２０ａ、２０ｂのうち一方の手摺子２０ａの上端部２４の側部分２８に接着され、第２縦部分４８ｂの他方の面は他方の手摺子２０ｂの上端部２４の側部分２８に接着され、横部分５０の他方の面は上桟１６に接着されている。このように振動防止装置１２は、隣接する２つの手摺子２０ａ、２０ｂの間に配置され、一方の手摺子２０ａの上端部２４と他方の手摺子２０ｂの上端部２４と上桟１６とに取り付けられている。
【００２８】
振動防止装置１２は、手摺ユニット１０の製作時に、隣接する２つの手摺子２０ａ、２０ｂの間に配置され、一方の手摺子２０ａの上端部２４と他方の手摺子２０ｂの上端部２４と上桟１６とに取り付けられてもよいし、支柱１４と、上桟１６と、下桟１８と、手摺子２０とを有する手摺ユニットの製作後に、隣接する２つの手摺子２０ａ、２０ｂの間に配置され、一方の手摺子２０ａの上端部２４と他方の手摺子２０ｂの上端部２４と上桟１６とに取り付けられてもよい。この場合、前記手摺ユニットの製作後に弾性体５２の第１縦部分４８ａの前記他方の面は一方の手摺子２０ａの上端部２４に接着され、第２縦部分４８ｂの前記他方の面は他方の手摺子２０ｂの上端部２４に接着され、横部分５０の前記他方の面は上桟１６に接着される。剛体４６は、図７に示した例では、下方に開放された凹状であるが、これに代え、図８に示したように、前記第２水平方向に対して垂直な面で見て四角形の断面形状を有するものでもよい。
【００２９】
図９、１０に示した例では、手摺子２０の上端部２４のみならず、下端部２６にも振動防止装置が用いられている。手摺子２０の下端部２６は、前記第１水平方向に間隔を置かれた２つの側部分５８と該側部分の間に前記第２水平方向に間隔を置かれた頂部分（図示せず）及び底部分（図示せず）とを有し、手摺ユニット１０は、手摺子２０の上端部２４の各側部分２８の第１水平方向外方に配置され、該側部分と上桟１６とに取り付けられた振動防止装置（上端側振動防止装置）１２に加え、手摺子２０の下端部２６の各側部分５８の第１水平方向外方に配置され、該側部分と下桟１８とに取り付けられた下端側振動防止装置６０を有する。
【００３０】
下端側振動防止装置６０は、前記第１水平方向に対して垂直な側部６２及び該側部の下に設けられた水平な底部６４を有する剛体６６と、一方の面が側部６２に接着された、該側部に平行な縦部分６８及び該縦部分の下に設けられ、一方の面が底部６４に接着された、該底部に平行な横部分７０を有するシート状の弾性体７２とを有する。縦部分６８の他方の面は手摺子２０の下端部２６の側部分５８に接着され、横部分７０の他方の面は下桟１８に接着されている。下端側振動防止装置６０は、強風時に手摺子２０及び下桟１８のそれぞれが振動することを防止する。
【００３１】
下端側振動防止装置６０は、手摺ユニット１０の製作時に手摺子２０の下端部２６の各側部分５８の第１水平方向外方に配置され、該側部分と下桟１８とに取り付けられてもよいし、支柱１４と、上桟１６と、下桟１８と、手摺子２０とを有する手摺ユニットの製作後、手摺子２０の下端部２６の各側部分５８の第１水平方向外方に配置され、該側部分と下桟１８とに取り付けられてもよい。この場合、前記手摺ユニットの製作後に弾性体７２の縦部分６８の前記他方の面は手摺子２０の下端部２６の側部分５８に接着され、横部分７０の前記他方の面は下桟１８に接着される。
【００３２】
図１１に示すように、手摺ユニットが前記第２水平方向の風を受けているときに前記手摺ユニットから発生する音のＡ特性音圧レベルを測定した。前記風の速さは９ｍ／ｓである。前記測定は、以下のケース１、２について行った。ケース１では、比較例として、振動防止装置１２が取り付けられていない状態の手摺ユニットが前記風を受けているときに前記手摺ユニットから発生する音のＡ特性音圧レベルを測定した。その結果、２ｋＨｚ帯域、２．５ｋＨｚ帯域、３．１５ｋＨｚ帯域、４ｋＨｚ帯域及び５ｋＨｚ帯域の周波数を有する音のＡ特性音圧レベルは、それぞれ、５５．７ｄＢ、５６．４ｄＢ、５８．７ｄＢ、５７．１ｄＢ及び５５．３ｄＢであり、比較的高い。２ｋＨｚ帯域ないし５ｋＨｚ帯域の、比較的高い周波数を有する音は、手摺子２０が前記風を受けて手摺子２０の上端部２４と上桟１６とが摺れたことにより発生したと考えられる。なお、３１５Ｈｚ帯域の周波数を有する音のＡ特性音圧レベルが比較的高いが、この音は、暗騒音であり、送風機から発生した音のような、前記手摺ユニットから発生した音以外の音である。
【００３３】
ケース２では、図１に示した手摺ユニット１０（振動防止装置１２が手摺子２０の上端部２４の側部分２８と上桟１６とに取り付けられている状態の手摺ユニット１０）が前記第２水平方向の風を受けているときに手摺ユニット１０から発生する音のＡ特性音圧レベルを測定した。その結果、図１１に示したように、２ｋＨｚ帯域、２．５ｋＨｚ帯域、３．１５ｋＨｚ帯域、４ｋＨｚ帯域及び５ｋＨｚ帯域の周波数を有する音のＡ特性音圧レベルは、それぞれ、５４．０ｄＢ、５０．３ｄＢ、４７．５ｄＢ、４２．４ｄＢ及び３６．７ｄＢであり、非常に低い。図１２に示すように、ケース１における、手摺ユニット１０から発生する音のＡ特性音圧レベルと、ケース２における、手摺ユニットから発生する音のＡ特性音圧レベルとの差は、２ｋＨｚ帯域、２．５ｋＨｚ帯域、３．１５ｋＨｚ帯域、４ｋＨｚ帯域及び５ｋＨｚ帯域の周波数について、それぞれ、１．７ｄＢ、６．１ｄＢ、１１．２ｄＢ、１４．７ｄＢ及び１８．６ｄＢである。この結果から、振動防止装置１２が手摺子２０及び上桟１６のそれぞれの振動を防止し、手摺子２０の上端部２４と上桟１６とが摺れることを防ぎ、手摺ユニット１０からの音の発生を防止したことがわかる。
【符号の説明】
【００３４】
１０    手摺ユニット
１２    振動防止装置
１４    支柱
１６    上桟
１８    下桟
２０    手摺子
２４    上端部
２６    下端部
２８    側部分
３０    頂部分
３２    底部分
４２    側部
４４    頂部
４６    剛体
４８    縦部分
５０    横部分
５２    弾性体
【図１】
0005504020.tif 000002
【図２】
0005504020.tif 000003
【図３】
0005504020.tif 000004
【図４】
0005504020.tif 000005
【図５】
0005504020.tif 000006
【図６】
0005504020.tif 000007
【図７】
0005504020.tif 000008
【図８】
0005504020.tif 000009
【図９】
0005504020.tif 000010
【図１０】
0005504020.tif 000011
【図１１】
0005504020.tif 000012
【図１２】
0005504020.tif 000013